(57)【要約】【課題】コストをかけずに、作業員によらない、正確なトラックの荷下ろしを行うことが可能な運搬管理システムを提供する。【解決手段】本発明に係る運行管理システム１０は、ダンプトラック２０に設置され、通行料金の収受に用いられる車載器２１に固有に割り当てられるＩＤを取得するＩＤ取得手段と、前記ＩＤ取得手段に対応して、前記ダンプトラック２０に積載される積載材料を記録する積載材料記録手段（データベースシステム１５）と、前記積載材料記録手段に記録された積載材料に基づいて、前記トラックの荷下ろしゾーンが正しい否かを判定する判定手段（データベースシステム１５）と、からなることを特徴とする【選択図】      図１
2015001135.tif 000002
【特許請求の範囲】
【請求項１】
トラックに設置され、通行料金の収受に用いられる車載器に固有に割り当てられるＩＤを取得するＩＤ取得手段と、
前記ＩＤ取得手段に対応して、前記トラックに積載される積載材料を記録する積載材料記録手段と、
前記積載材料記録手段に記録された積載材料に基づいて、前記トラックの荷下ろしゾーンが正しい否かを判定する判定手段と、からなることを特徴とする運搬管理システム。
【請求項２】
前記積載材料記録手段に記録された積載材料に基づいて、表示を行う表示器を備えることを特徴とする請求項１に記載の運搬管理システム。
【請求項３】
前記判定手段の判定結果により動作を行う警告手段を備えることを特徴とする請求項１又は請求項２に記載の運搬管理システム。
【発明の詳細な説明】
【技術分野】
【０００１】
本発明は、トラックなどによって材料などを運搬する際の運搬管理を行う運搬管理システムに関する。
【背景技術】
【０００２】
フィルダムは、ダムの型式の一つであり、コンクリートを主体とするコンクリートダムとは異なり、天然の土砂や岩石を盛り立てて築いたダム堤体である。（例えば、特許文献１など参照。）
フィルダムは、岩石・土砂材料として、「コア材」が用いられるゾーン、「フィルター材」が用いられるゾーン、「内部ロック」が用いられるゾーン、「外部ロック」が用いられるゾーンを有しており、したがって、ダム盛り立ての際には、ダンプトラックに積載された岩石・土砂材料を、正しいゾーンに荷下ろししなければならない。
【０００３】
従来、フィルダムの盛り立て現場では、現場における適当な通過点で、ダンプトラックに積載された岩石・土砂材料を作業員が目視確認して、当該作業員がダンプトラックの運転手に対して、荷下ろしする行き先を指示するようにしている。
【特許文献１】特開２００９−１９７４４０号公報
【発明の概要】
【発明が解決しようとする課題】
【０００４】
作業員が、運転手に対し行き先を指示する場合、メガホンや看板などで行き先を指示することが多いが、このような方法によれば、ヒューマンエラーによって、誤ったゾーンでの荷下ろしがなされる恐れや、作業員がダンプトラックと接触するような事故が発生する恐れもある、という問題があった。
【０００５】
そこで、フィルダムの盛り立て現場における岩石・土砂材料の運搬管理を、例えば、ダンプトラックの作業員に所持させたスマートフォンなどの情報通信端末で行う、という方法が考えられる。しかしながら、このような方法によれば、現場で利用するダンプトラックの台数分の情報通信端末を準備する初期費用や、情報通信端末の通信費が必要であるため、コストが高い、という、新たな問題が発生する。
【課題を解決するための手段】
【０００６】
この発明は、上記課題を解決するものであって、請求項１に係る発明は、トラックに設置され、通行料金の収受に用いられる車載器に固有に割り当てられるＩＤを取得するＩＤ取得手段と、前記ＩＤ取得手段に対応して、前記トラックに積載される積載材料を記録する積載材料記録手段と、前記積載材料記録手段に記録された積載材料に基づいて、前記トラックの荷下ろしゾーンが正しい否かを判定する判定手段と、からなることを特徴とする運搬管理システムである。
【０００７】
また、請求項２に係る発明は、請求項１に記載の運搬管理システムにおいて、前記積載材料記録手段に記録された積載材料に基づいて、表示を行う表示器を備えることを特徴とする。
【０００８】
また、請求項３に係る発明は、請求項１又は請求項２に記載の運搬管理システムにおいて、前記判定手段の判定結果により動作を行う警告手段を備えることを特徴とする。
【発明の効果】
【０００９】
本発明に係る運搬管理システム１０は、通行料金の収受に用いられる車載器に固有に割り当てられるＩＤに対応して積載材料を記録しておき、これに基づいて、トラックの荷下ろしゾーンが正しい否かを判定するので、情報通信端末の通信費などが発生することなく、コストをかけずに、作業員によらない、正確なトラックの荷下ろしを行うことが可能となる。
【図面の簡単な説明】
【００１０】
【図１】本発明の実施形態に係る運搬管理システム１０の概要を示す図である。
【図２】本発明の実施形態に係る運搬管理システム１０における材料積載時処理のフローチャートを示す図である。
【図３】材料積載時の様子を模式的に示す図である。
【図４】本発明の実施形態に係る運搬管理システム１０におけるゲート通過時処理のフローチャートを示す図である。
【図５】ゲート通過時処理の様子を模式的に示す図である。
【図６】本発明の実施形態に係る運搬管理システム１０における荷下ろし時処理のフローチャートを示す図である。
【図７】荷下ろし時処理の様子を模式的に示す図である。
【図８】本発明の実施形態に係る運搬管理システム１０のデータベースシステム１５で記録されるデータテーブル例を示す図である。
【発明を実施するための形態】
【００１１】
以下、本発明の実施の形態を図面を参照しつつ説明する。図１は本発明の実施形態に係る運搬管理システム１０の概要を示す図である。
【００１２】
本発明の実施形態に係る運搬管理システム１０で管理する運搬物としては、岩石・土砂材料を例に説明するが、本発明の運搬管理システム１０で管理し得る運搬物がこれに限られるものではない。例えば、がれきの運搬においては、トラック毎で種々の種別のがれきの運搬を行うようにしているが、このようながれきの運搬にも、本発明の運搬管理システム１０を好適に利用することができる。
【００１３】
また、本実施形態では、運搬管理システム１０が、フィルダムの盛り立て現場で利用されることを想定した説明を行うが、本発明の運搬管理システム１０はフィルダムの盛り立て現場での利用に限定されるものではない。例えば、高台の造成現場やなどにも本発明の運搬管理システム１０は適用可能である。
【００１４】
以下、本実施形態では、材料積載現場の所定の材料をダンプトラック２０に積載し、これをフィルダムの盛り立て現場の所定のゾーンで荷下ろしを行う際の運搬管理について説明する。なお、ダンプトラック２０が材料積載現場を出て、盛り立て現場に進入する際には、現場ゲートを通過することを前提とする。また、ダンプトラック２０は複数台が用いられ、複数のダンプトラック２０が、材料積載現場と盛り立て現場との間を往復しつつ、材料積載現場の各材料を盛り立て現場に供給していく。
【００１５】
本実施形態においては、運搬手段であるダンプトラック２０は、料積載現場における「ａ材料積載場」で積載されたａ材料は、盛り立て現場における「Ａゾーン」で荷下ろしすることが、また、材料積載現場における「ｂ材料積載場」で積載されたｂ材料は、盛り立て現場における「Ｂゾーン」で荷下ろしすることが、また、材料積載現場における「ｃ材料積載場」で積載されたｃ材料は、盛り立て現場における「Ｃゾーン」で荷下ろしすることが、また、材料積載現場における「ｄ材料積載場」で積載されたｄ材料は、盛り立て現場における「Ｄゾーン」で荷下ろしすることが、想定されている。
【００１６】
フィルダムの盛り立てでは、例えば、ａ材料は「コア材」に相当し、ｂ材料は「フィルター材」に相当し、ｃ材料は「内部ロック」に相当し、ｄ材料は「外部ロック」に相当するものである。
【００１７】
本発明に係る運行管理システム１０においては、通行料金の収受に用いられるＥＴＣの車載器２１を利用することを大きな特徴の１つとしている。ＥＴＣは、料金所に設置された路側装置と、車両に搭載された車載器２１との間で、ＤＳＲＣ（Dedicated Short Range Communication：狭域通信）方式による双方向無線通信を行い、通行料金の支払いに必
要な情報を送受信するシステムである。
【００１８】
それぞれの車載器２１には、機器番号と呼ばれる唯一無二のＩＤ（車載器固有情報）が割りふられており、前記双方向無線通信によって、車載器２１のＩＤを読み取ることができるようになっている。ダム盛り立てのために材料を運搬する全てのダンプトラック２０には、このような車載器２１を取り付けておく。
【００１９】
アンテナ１１は、上記のような車載器２１のＩＤを読み取る手段であり、各材料積載場、現場ゲート、各ゾーンに設けられ、読み取られたＩＤをデータベースシステム１５に送信することができるようになっている。アンテナ１１同士は、同じダンプトラック２０の車載器２１のＩＤを読み込んでしまわないように、十分な間隔が開けて設置されている。
【００２０】
なお、アンテナ１１の参照番号には、設置場所に応じたサフィックス（ａやＧなど）を付している。また、データベースシステム１５はインターネットなどの通信回線を介して、各構成と通信するように構成する。
【００２１】
また、本実施形態では、アンテナ１１は、それぞれの積載場やゾーンに１本のみ設ける構成を例に説明しているが、ダンプトラック２０（車載器２１）の存在をより広い範囲で検知したいような場合には、複数のアンテナを各積載場や各ゾーンに設けるようにすることもできる。
【００２２】
盛り立て現場の入り口部である現場ゲートには、アンテナ１１Ｇと共に、ダンプトラック２０の運転手が目視可能な位置に表示器１３を設けている。表示器１３は、データベースシステム１５から送信される表示制御信号により、その表示が制御されるようになっている。
【００２３】
盛り立て現場における各ゾーンには、ダンプトラック２０の運転手への報知手段として、警告灯などの役目をする電子掲示板１２が設けられている。これらの電子掲示板１２は、データベースシステム１５から送信される電子掲示板制御信号により、動作するようになっている。
【００２４】
データベースシステム１５には、情報処理のために用いる、例えばクラウドサーバー等の一般的なものを用いることができるが、情報処理を行い得るものであれば、データベースシステム１５以外のものも用いることができる。例えば、本発明におけるデータベースシステム１５と同様の情報処理を行う専用の回路を設けるようにしてもよい。
【００２５】
データベースシステム１５には、各アンテナ１１と、表示器１３と、各電子掲示板１２が情報通信可能に接続されており、データベースシステム１５には各アンテナ１１からのＩＤデータが入力されると共に、データベースシステム１５からの出力が各電子掲示板１２、表示器１３に入力されるようになっている。
【００２６】
次に、以上のように構成される本発明に係る運行管理システム１０における処理のため
のアルゴリズムを説明する。運行管理システム１０における前記アルゴリズムは、データベースシステム１５によって実行される。
【００２７】
まず、材料積載現場でダンプトラック２０が材料を積載するときの処理について説明する。以下の例では、ダンプトラック２０で材料積載現場における「ａ材料積載場」でａ材料を積載し、当該ダンプトラック２０でこれを運搬し、さらに、当該ダンプトラック２０で盛り立て現場における「Ａゾーン」でａ材料を荷下ろしする場合に基づいた説明を行う。他の材料についても、ａ材料の場合と同様に考えることができるので、説明は省略する。
【００２８】
図２は本発明の実施形態に係る運搬管理システム１０における材料積載時処理のフローチャートを示す図であり、図３は材料積載時の様子を模式的に示す図である。
【００２９】
ダンプトラック２０が、図３に示すように、ａ材料の積載のためのａ材料積載場に近づくと、アンテナ１１ａによって当該ダンプトラック２０搭載の車載器２１のＩＤを読み取ることができるようになる。
【００３０】
図２のフローチャートでは、上記のようにダンプトラック２０搭載の車載器２１のＩＤを読み取ることが前提となっている。
【００３１】
図２のフローチャートにおいて、ステップＳ１００で材料積載時処理が開始されると、ステップＳ１０１では、車載器２１のＩＤを検知したか否かが判定される。
【００３２】
当該判定がＹＥＳとなると、続いて、ステップＳ１０２に進み、当該ＩＤに対応する「積載フラグ」が０である否か判定される。この「積載フラグ」とは、ダンプトラック２０に既に、材料が積載されていることが想定される場合には「１」をとり、そうでない場合には「０」をとるフラグである。
【００３３】
ステップＳ１０２の判定がＹＥＳであると、ステップＳ１０３に進み、データベースシステム１５の記憶手段（不図示）に、車載器２１固有のＩＤを記録し、次に、ステップＳ１０４に進み、アンテナ１１ａに対応した積載材料を記録する。本例の場合は、材料は「ａ」である。
【００３４】
次に、ステップＳ１０５に進み、データベースシステム１５で計時された時刻を記録し、次のステップＳ１０６では、積載フラグを１に設定する。
【００３５】
上記のようなフローチャートのアルゴリズムによって、図８（Ａ）に示されるような記録データがデータベースシステム１５に記憶される。図８はデータベースシステム１５に記憶されるデータのデータ形式例を示す図である。図８に示すように、本実施形態においてはデータ形式として、「車載器固有ＩＤ」、「ナンバープレート情報」、「積載材料」、「取得時間」、「積載フラグ」、「ゲート通過フラグ」の各項目を記憶している。なお、さらに、その他の項目を記憶するように設定することもできる。なお、「ナンバープレート情報」については、「車載器固有ＩＤ」に対応して予め準備しておくことができる。
【００３６】
次に、上記のように材料積載場から出発したダンプトラック２０が盛り立て現場のゲートを通過する際の処理について説明する。
【００３７】
図４は本発明の実施形態に係る運搬管理システム１０におけるゲート通過時処理のフローチャートを示す図であり、図５はゲート通過時処理の様子を模式的に示す図である。
【００３８】
ダンプトラック２０が、図５に示すように、積載したａ材料を盛り立て現場に運ぶため、現場ゲートを通過する際、アンテナ１１Ｇによって当該ダンプトラック２０搭載の車載器２１のＩＤを読み取ることができるようになる。
【００３９】
図４のフローチャートでは、上記のようにダンプトラック２０搭載の車載器２１のＩＤを読み取ることが前提となっている。
【００４０】
図４において、ステップＳ２００でゲート通過時処理が開始されると、ステップＳ２０１では、車載器２１固有のＩＤを検知したか否かが判定される。
【００４１】
続いて、ステップＳ２０２では、当該ＩＤに対応した記録データにおける積載フラグが１であるか否かが判定される。ここで、積載フラグが１でない場合には、ステップＳ２０６に進み、表示器１３は非表示とする。積載フラグが１でない場合には、当該車載器２１を搭載したダンプトラック２０は、盛り立て現場から退出するダンプトラックである可能性が高いからである。
【００４２】
また、ステップＳ２０３では、ゲート通過フラグが１であるか否かが判定される。ここで、「ゲート通過フラグ」とは、ダンプトラック２０が既に、現場ゲートを通過していることが想定される場合には「１」をとり、そうでない場合には「０」をとるフラグである。
【００４３】
ステップＳ２０３における判定がＹＥＳである場合には、当該車載器２１を搭載したダンプトラック２０は、盛り立て現場から退出するダンプトラックであると考えられるので、ステップＳ２０７に進み、ゲート通過フラグを０に設定する。
【００４４】
ステップＳ２０４における判定がＮＯである場合には、ステップＳ２０４に進み、記録データを参照して、積載材料に応じた指示を表示器１３に表示すると共に、これと合わせて、確認のためにナンバープレート情報を表示する。次に、ステップＳ２０５に進み、ゲート通過フラグを１に設定する。
【００４５】
上記のようなフローチャートのアルゴリズムによって、盛り立て現場に進入するダンプトラック２０に関しては、図８（Ｂ）に示されるような記録データがデータベースシステム１５に記憶されると共に、盛り立て現場から退出するダンプトラック２０に関しては、図８（Ｄ）に示されるような記録データがデータベースシステム１５に記憶される
次に、ゲートを通過したダンプトラック２０が盛り立て現場のＡゾーンで荷下ろしをする際の処理について説明する。
【００４６】
図６は本発明の実施形態に係る運搬管理システム１０における荷下ろし時処理のフローチャートを示す図であり、図７は荷下ろし時処理の様子を模式的に示す図である。
【００４７】
ダンプトラック２０が、図７に示すように、ａ材料の荷下ろしのためにＡゾーンに近づくと、アンテナ１１Ａによって当該ダンプトラック２０搭載の車載器２１のＩＤを読み取ることができるようになる。
【００４８】
図６のフローチャートでは、上記のようにダンプトラック２０搭載の車載器２１のＩＤを読み取ることが前提となっている。
【００４９】
図６において、ステップＳ３００で、荷下ろし時処理が開始されると、ステップＳ３０１では、車載器２１固有のＩＤを検知したか否かが判定される。
【００５０】
ステップＳ３０１における判定がＹＥＳであると、ステップＳ３０２に進み、荷下ろしゾーンと、記録データの積載材料との対応が正しいか否かが判定される。本例では、「Ａゾーン」と「ａ材料」とが一致しているか否かが判定されることとなる。
【００５１】
ステップＳ３０２における判定がＹＥＳであれば、正しい材料が荷下ろしされているものと考えられるので、ステップＳ３０３に進み、電子掲示板１２に正しい荷下ろしが行われている旨を表示し、続く、ステップＳ３０４で積載フラグを０に設定する。
【００５２】
一方、ステップＳ３０２における判定がＮＯであれば、誤った材料が荷下ろしされる可能性があるので、ステップＳ３０５に進み、電子掲示板１２に正しい荷下ろしが行われていない旨を表示し、ダンプトラック２０の運転手に誤りを報知する。なお、本実施形態では、ダンプトラック２０の運転手への警告・報知手段として電子掲示板１２を用いているが、警告・報知手段であればどのようなものでも用いることができる。
【００５３】
上記のようなフローチャートのアルゴリズムによって、荷下ろしを行ったダンプトラック２０に関しては、図８（Ｃ）に示されるような記録データがデータベースシステム１５に記憶されることとなる。
【００５４】
以上のように、本発明に係る運搬管理システム１０は、通行料金の収受に用いられる車載器２１に固有に割り当てられるＩＤに対応して積載材料を記録しておき、これに基づいて、トラックの荷下ろしゾーンが正しい否かを判定するので、情報通信端末の通信費などが発生することなく、コストをかけずに、作業員によらない、正確なトラックの荷下ろしを行うことが可能となる。
【符号の説明】
【００５５】
１０・・・運行管理システム
１１・・・アンテナ
１２・・・電子掲示板
１３・・・表示器
１５・・・データベースシステム
２０・・・ダンプトラック
２１・・・車載器
【図１】
2015001135.tif 000003
【図２】
2015001135.tif 000004
【図３】
2015001135.tif 000005
【図４】
2015001135.tif 000006
【図５】
2015001135.tif 000007
【図６】
2015001135.tif 000008
【図７】
2015001135.tif 000009
【図８】
2015001135.tif 000010